(57)【要約】【課題】室間扉の開扉にかかわらず低露点室の室内を所要の低露点環境に保持する。【解決手段】低露点室１を補助室２に対して開放する室間開口部３に、その室間開口部３を開閉する室間扉４を設け、除湿機５により生成される低露点空気ＳＡを低露点室１に対する第１給気口７と、補助室２に対する第２給気口８とに送る給気路６を設け、第１給気口７からの低露点室１への低露点空気ＳＡの供給に伴い低露点室１の室内低露点空気ＳＡ′を補助室２に流出させる室間通気路１２を設けてある低露点空調設備において、室間扉４の開扉時には、第１給気口７から低露点室１に供給する低露点空気ＳＡの風量である第１給気風量Ｑ１を、室間扉４の閉扉時における第１給気風量よりも増加させるとともに、これに背反させて、第２給気口８から補助室２に供給する低露点空気ＳＡの風量である第２給気風量Ｑ２を、室間扉４の閉扉時における第２給気風量よりも減少させる。【選択図】図１
2014047990.tif 000002
【特許請求の範囲】
【請求項１】
低露点室を補助室に対して開放する室間開口部に、その室間開口部を開閉する室間扉を設け、
除湿機により生成される低露点空気を前記低露点室に対する第１給気口と、前記補助室に対する第２給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を、前記室間扉の閉扉時における前記第１給気風量よりも増加させるとともに、
この第１給気風量の増加に背反させて、前記第２給気口から前記補助室に供給する低露点空気の風量である第２給気風量を、前記室間扉の閉扉時における前記第２給気風量よりも減少させる低露点空調設備の運転方法。
【請求項２】
前記室間扉の開扉時には、前記第１給気風量の増加分だけ、前記第２給気風量を前記室間扉の閉扉時における前記第２給気風量よりも減少させる請求項１記載の低露点空調設備の運転方法。
【請求項３】
複数の前記低露点室を前記補助室に対して各別に開放する複数の前記室間開口部と、それら複数の室間開口部を各別に開閉する複数の前記室間扉とを設けた構成において、
それら複数の前記室間扉の開扉時には、対応する複数の前記低露点室の夫々に対する前記第１給気風量を、複数の前記室間扉の閉扉時における前記第１給気風量よりも増加させるとともに、
それら複数の低露点室の夫々に対する前記第１給気風量の増加分の合計分だけ、前記第２給気風量を複数の前記室間扉の閉扉時における前記第２給気風量よりも減少させる請求項１又は２記載の低露点空調設備の運転方法。
【請求項４】
前記室間扉の開扉時には、前記低露点室に対する前記第１給気風量を、前記室間扉が開かれた状態において前記低露点室の室内露点温度が前記室間扉の閉扉時における前記低露点室の室内露点温度以下に保持される露点保持風量まで増加させる請求項１〜３のいずれか１項に記載の低露点空調設備の運転方法。
【請求項５】
前記室間扉の開扉時には、前記低露点室に対する前記第１給気風量を、前記室間扉が開かれた状態において前記低露点室の室圧が前記補助室の室圧より設定圧力差以上に高く保持される室圧保持風量まで増加させる請求項１〜４のいずれか１項に記載の低露点空調設備の運転方法。
【請求項６】
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を前記室間扉の閉扉時における前記第１給気風量に保った状態で、
前記第３給気口から前記室間開口部の配設域に供給する低露点空気の風量である第３給気風量を、前記室間扉の閉扉時における前記第３給気風量よりも増加させるとともに、
この第３給気風量の増加に背反させて、前記第２給気口から前記補助室に供給する低露点空気の風量である第２給気風量を、前記室間扉の閉扉時における前記第２給気風量よりも減少させる低露点空調設備の運転方法。
【請求項７】
前記室間扉の開扉時には、前記第３給気風量の増加分だけ、前記第２給気風量を前記室間扉の閉扉時における前記第２給気風量よりも減少させる請求項６記載の低露点空調設備の運転方法。
【請求項８】
複数の前記低露点室を前記補助室に対して各別に開放する複数の前記室間開口部と、それら複数の室間開口部を各別に開閉する複数の前記室間扉とを設けた構成において、
それら複数の前記室間扉の開扉時には、対応する複数の前記室間開口部夫々の配設域に対する前記第３給気風量を、複数の前記室間扉の閉扉時における前記第３給気風量よりも増加させるとともに、
それら複数の前記室間開口部夫々の配設域に対する前記第３給気風量の増加分の合計分だけ、前記第２給気風量を複数の前記室間扉の閉扉時における前記第２給気風量よりも減少させる請求項６又は７記載の低露点空調設備の運転方法。
【請求項９】
前記室間扉の開扉時には、前記室間開口部の配設域に対する前記第３給気風量を、前記室間扉が開かれた状態において前記低露点室の室内露点温度が前記室間扉の閉扉時における前記低露点室の室内露点温度以下に保持される露点保持風量まで増加させる請求項６〜８のいずれか１項に記載の低露点空調設備の運転方法。
【請求項１０】
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を、前記室間扉の閉扉時における前記第１給気風量よりも増加させ、かつ、前記第３給気口から前記室間開口部の配設域に供給する低露点空気の風量である第３給気風量を、前記室間扉の閉扉時における前記第３給気風量よりも増加させるとともに、
これら第１給気風量及び第３給気風量の増加に背反させて、前記第２給気口から前記補助室に供給する低露点空気の風量である第２給気風量を、前記室間扉の閉扉時における前記第２給気風量よりも減少させる低露点空調設備の運転方法。
【請求項１１】
前記室間扉の開扉時には、前記第１給気風量の増加分と前記第３給気風量の増加分との合算分だけ、前記第２給気風量を前記室間扉の閉扉時における前記第２給気風量よりも減少させる請求項１０記載の低露点空調設備の運転方法。
【請求項１２】
複数の前記低露点室を前記補助室に対して各別に開放する複数の前記室間開口部と、それら複数の室間開口部を各別に開閉する複数の前記室間扉とを設けた構成において、
それら複数の前記室間扉の開扉時には、対応する複数の前記低露点室の夫々に対する前記第１給気風量を、複数の前記室間扉の閉扉時における前記第１給気風量よりも増加させ、かつ、対応する複数の前記室間開口部夫々の配設域に対する前記第３給気風量を、複数の前記室間扉の閉扉時における前記第３給気風量よりも増加させるとともに、
それら複数の低露点室の夫々に対する前記第１給気風量の増加分の合計分と、それら複数の前記室間開口部夫々の配設域に対する前記第３給気風量の増加分の合計分との合算分だけ、前記第２給気風量を複数の前記室間扉の閉扉時における前記第２給気風量よりも減少させる請求項１０又は１１記載の低露点空調設備の運転方法。
【請求項１３】
前記室間扉の開扉時には、前記低露点室に対する前記第１給気風量又は前記室間開口部の配設域に対する前記第３給気風量を、前記室間扉が開かれた状態において前記低露点室の室内露点温度が前記室間扉の閉扉時における前記低露点室の室内露点温度以下に保持される露点保持風量まで増加させる請求項１０〜１２のいずれか１項に記載の低露点空調設備の運転方法。
【請求項１４】
前記室間扉の開扉時には、前記低露点室に対する前記第１給気風量を、前記室間扉が開かれた状態において前記低露点室の室圧が前記補助室の室圧又は前記室間開口部の配設域における域圧より設定圧力差以上に高く保持される室圧保持風量まで増加させる請求項１０〜１３のいずれか１項に記載の低露点空調設備の運転方法。
【請求項１５】
低露点室を補助室に対して開放する室間開口部に、その室間開口部を開閉する室間扉を設け、
除湿機により生成される低露点空気を前記低露点室に対する第１給気口と、前記補助室に対する第２給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第１給気口から前記低露点室に供給する低露点空気の風量である第１給気風量を調整する第１風量調整ダンパと、
前記第２給気口から前記補助室に供給する低露点空気の風量である第２給気風量を調整する第２風量調整ダンパとを設けるとともに、
これら第１及び第２風量調整ダンパ夫々の開度を調整する制御手段を設け、
この制御手段は、前記室間扉の開扉を知らせる開扉信号を受信すると、
前記第１風量調整ダンパの開度を調整して前記第１給気風量を前記室間扉の閉扉時における前記第１給気風量よりも増加させるとともに、
前記第２風量調整ダンパの開度を調整して前記第２給気風量を前記室間扉の閉扉時における前記第２給気風量よりも減少させる構成にしてある低露点空調設備。
【請求項１６】
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第３給気口から前記室間開口部の配設域に供給する低露点空気の風量である第３給気風量を調整する第３風量調整ダンパと、
前記第２給気口から前記補助室に供給する低露点空気の風量である第２給気風量を調整する第２風量調整ダンパとを設けるとともに、
これら第３及び第２風量調整ダンパ夫々の開度を調整する制御手段を設け、
この制御手段は、前記室間扉の開扉を知らせる開扉信号を受信すると、
前記第３風量調整ダンパの開度を調整して前記第３給気風量を前記室間扉の閉扉時における前記第３給気風量よりも増加させるとともに、
前記第２風量調整ダンパの開度を調整して前記第２給気風量を前記室間扉の閉扉時における前記第２給気風量よりも減少させる構成にしてある低露点空調設備。
【請求項１７】
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第１給気口から前記低露点室に供給する低露点空気の風量である第１給気風量を調整する第１風量調整ダンパと、
前記第３給気口から前記室間開口部の配設域に供給する低露点空気の風量である第３給気風量を調整する第３風量調整ダンパと、
前記第２給気口から前記補助室に供給する低露点空気の風量である第２給気風量を調整する第２風量調整ダンパとを設けるとともに、
これら第１，第３及び第２風量調整ダンパ夫々の開度を調整する制御手段を設け、
この制御手段は、前記室間扉の開扉を知らせる開扉信号を受信すると、
前記第１風量調整ダンパの開度を調整して前記第１給気風量を前記室間扉の閉扉時における前記第１給気風量よりも増加させ、
かつ、前記第３風量調整ダンパの開度を調整して前記第３給気風量を前記室間扉の閉扉時における前記第３給気風量よりも増加させるとともに、
前記第２風量調整ダンパの開度を調整して前記第２給気風量を前記室間扉の閉扉時における前記第２給気風量よりも減少させる構成にしてある低露点空調設備。
【請求項１８】
前記低露点室の室内低露点空気を前記補助室へ漏出させて前記第１給気風量の増加に伴う前記低露点室の室圧上昇を緩和する差圧保持ダンパを設けてある請求項１５又は１７記載の低露点空調設備。
【請求項１９】
前記第３給気口は、低露点空気を供給する前記室間開口部の配設域として、前記補助室の側における前記室間開口部の対向箇所に低露点空気を供給する状態に配置してある請求項１６又は１７記載の低露点空調設備。
【発明の詳細な説明】
【技術分野】
【０００１】
本発明は、リチウム電池や薄膜あるいは有機ＥＬの製造工程などにおいて必要な低露点環境を形成する低露点空調設備に関する。
【０００２】
詳しくは（図５参照）、低露点室１を補助室２に対して開放する室間開口部３に、その室間開口部３を開閉する室間扉４を設け、
除湿機５により生成される低露点空気ＳＡ（例えば、露点温度がマイナス数十度といった空気）を低露点室１に対する第１給気口７と、補助室２に対する第２給気口８とに送る給気路６、又は、それら第１及び第２給気口７，８に送るとともに室間開口部４の配設域に対する第３給気口１９にも送る給気路６を設け、
第１給気口７からの低露点室１への低露点空気ＳＡの供給に伴い低露点室１の室内低露点空気ＳＡ′を補助室２に流出させる室間通気路１２を設け、
第２給気口８及び室間通気路１２からの補助室２への低露点空気ＳＡ，ＳＡ′の供給に伴い補助室２の室内空気ＥＡを外部へ排出する排気路１５又はその室内空気ＲＡを除湿機５に戻す還気路１４を設けてある低露点空調設備に関する。
【背景技術】
【０００３】
従来、この種の低露点空調設備として、特許文献１には（同図５参照）、室間扉１の開閉にかかわらず給気路６を通じて第１給気口７及び第２給気口８から低露点室１及び補助室２の夫々に定量供給する低露点空気ＳＡとは別に、室間扉４の開扉時に、給気路６から分流した低露点空気ＳＡを低露点室１におけるエアカーテン用の給気口（第３給気口１９に相当）から室間扉４が開かれた室間開口部３に供給してエアーカーテンを形成し、これにより、低露点室１に対する物品の搬出入や低露点室１のメンテナンスなどのための室間扉４の開扉に対し、室間開口部３を通じた補助室２から低露点室１への空気侵入に伴う水分侵入を防止して、低露点室１の室内を所要の低露点環境に保つようにした設備が提案されている。
【０００４】
また、特許文献２には（図３参照）、共通の補助室２に対して複数の低露点室１ａ，１ｂを設けた設備構成において、それら複数の低露点室１ａ，１ｂの夫々に給気路６を通じて低露点空気ＳＡを供給するともに、いずれかの低露点室１ａ，１ｂの室間扉４が開かれたときには、その低露点室１ａ，１ｂに対する低露点空気ＳＡの供給風量を増加させるようにした設備が提案されている。
【先行技術文献】
【特許文献】
【０００５】
【特許文献１】特開２０１２−５２７１８号公報
【特許文献２】特開２００７−２６５８８０号公報
【発明の概要】
【発明が解決しようとする課題】
【０００６】
しかし、上記したいずれの従来設備しても、室間扉４の開扉時におけるエアカーテン形成用低露点空気ＳＡの追加供給や低露点室１ａ，１ｂに供給する低露点空気ＳＡの風量増加で、除湿機５における処理空気の風量が増加して除湿機５の除湿負荷が急に大きくなることに対し、風量増加した処理空気を増加前と同じ低露点温度に除湿処理し得る状態まで除湿機５が能力的に立ち上がるのに相応の時間が必要で、いわゆる立ち上がり遅れが生じる。
【０００７】
そして、この立ち上がり遅れの為、除湿機５から給気路６を通じて低露点室１，１ａ，１ｂに供給する低露点空気ＳＡの露点温度が室間扉４の開扉後において一時的にせよ上昇し、これが原因で、低露点室１，１ａ，１ｂの室内露点温度が上昇して低露点室１，１ａ，１ｂの室内低露点環境が悪化してしまう虞がある。
【０００８】
特に、前述した特許文献２の設備において複数の低露点室１ａ，１ｂ夫々の室間扉４がともに開かれたときには、除湿機５における処理空気の風量増加がさらに大きなものになって、除湿機５の立ち上がり遅れが一層助長されることで、上記の如き室内低露点環境の悪化が一層生じ易くなる。
【０００９】
また、このように複数の低露点室１ａ，１ｂ夫々の室間扉４がともに開かれたときには、処理空気の増加後の必要風量が除湿機５における適正処理可能な風量の上限より大きくなり、そのことで、各低露点室１ａ，１ｂに供給する低露点空気ＳＡの露点温度が複数の室間扉４の開扉後において継続的に高くなったり、各低露点室１ａ，１ｂに供給する低露点空気ＳＡの供給風量そのものが複数の室間扉４の開扉後において継続的に不足する状態になり、これが原因で、各低露点室１ａ，１ｂの室内低露点環境が悪化してしまう虞もある。
【００１０】
この実情に鑑み本発明の主たる課題は、合理的な運転形態を採ることで、上記の如き問題を効果的に解消して、室間扉の開扉にかかわらず低露点室の室内を所要の低露点環境に一層確実かつ安定的に保持できるようにする点にある。
【課題を解決するための手段】
【００１１】
本発明の第１特徴構成は、低露点空調設備の運転方法に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を、前記室間扉の閉扉時における前記第１給気風量よりも増加させるとともに、
この第１給気風量の増加に背反させて、前記第２給気口から前記補助室に供給する低露点空気の風量である第２給気風量を、前記室間扉の閉扉時における前記第２給気風量よりも減少させる点にある。
【００１２】
この構成では、基本的には先述の従来設備と同様、室間扉の開扉時には、第１給気口から低露点室に供給する低露点空気の風量（第１給気風量）を増加させることで、室間開口部を通じた補助室から低露点室への空気侵入に伴う水分侵入を防止するとともに、低露点室における水分負荷処理能力を高めて、室間開口部を通じメンテナンス作業を行なうメンテナンス要員の呼気や発汗などによる発生水分負荷にも対応できるようにし、これにより、室間扉の開扉にかかわらず低露点室の室内を所要の低露点環境に保持する。
【００１３】
そして、この構成では、室間扉の開扉時に低露点室に対する第１給気風量を増加させるのに背反させて、第２給気口から補助室に供給する低露点空気の風量（第２給気風量）を減少させるから、第１給気風量の増加による除湿機での処理空気の風量増加を、第１給気風量の増加分と第２給気風量の減少分との相殺により抑止することができる。
【００１４】
したがって、処理空気の風量増加に対する除湿機の立ち上がり遅れで、低露点室に供給する低露点空気の露点温度が室間扉の開扉後において一時的にせよ上昇することや、増加後の処理空気の必要風量が除湿機における適正処理可能な風量の上限より大きくなって、低露点室に供給する低露点空気の露点温度が室間扉の開扉後において継続的に高くなったり、その供給風量そのものが室間扉の開扉後において継続的に不足する状態になることを効果的に回避することができる。
【００１５】
このことにより、先述の従来設備に比べ、室間扉の開扉にかかわらず低露点室の室内を所要の低露点環境に一層確実かつ安定的に保持することができて、低露点空調設備の性能及び信頼性を高めることができる。
【００１６】
また、この構成では、室間扉の開扉時に補助室に対する第２給気風量を減少させるが、室間扉の開扉時には、低露点室に対する第１給気風量の増加に伴い室間開口部や室間通気路を通じて低露点室から補助室に流入する低露点空気の流入量も増加することから、補助室の室内を準低露点室として所要の低露点環境に保つ上で、この第２給気風量の減少が特に問題になることはない。
【００１７】
なお、この構成の実施において、低露点室に対する第１給気風量は室間扉の開扉の際、その開扉に先立ち予め増加させるのが望ましい。
【００１８】
本発明の第２特徴構成は、第１特徴構成の実施において、
前記室間扉の開扉時には、前記第１給気風量の増加分だけ、前記第２給気風量を前記室間扉の閉扉時における前記第２給気風量よりも減少させる点にある。
【００１９】
この構成によれば、第１給気風量の増加分と第２給気風量の減少分との相殺により、除湿機における処理空気の風量を室間扉の閉扉時及び開扉時を通じて一定化することができ、これにより、第１特徴構成による上述の効果を一層効果的かつ確実に得ることができる。
【００２０】
本発明の第３特徴構成は、第１又は第２特徴構成の実施において、
複数の前記低露点室を前記補助室に対して各別に開放する複数の前記室間開口部と、それら複数の室間開口部を各別に開閉する複数の前記室間扉とを設けた構成において、
複数の前記室間扉の開扉時には、対応する複数の前記低露点室の夫々に対する前記第１給気風量を、複数の前記室間扉の閉扉時における前記第１給気風量よりも増加させるとともに、
それら複数の低露点室の夫々に対する前記第１給気風量の増加分の合計分だけ、前記第２給気風量を複数の前記室間扉の閉扉時における前記第２給気風量よりも減少させる点にある。
【００２１】
この構成によれば、室間扉が開扉された複数の低露点室の夫々に対する第１給気風量の増加分の合計分と、補助室に対する第２給気風量の減少分との相殺により、除湿機における処理空気の風量を複数の室間扉の閉扉時及び開扉時を通じて一定化することができ、これにより、複数の低露点室夫々の室間扉がともに開かれた場合にも、第１特徴構成による上述の効果を一層効果的かつ確実に得ることができる。
【００２２】
本発明の第４特徴構成は、第１〜第３特徴構成のいずれかの実施において、
前記室間扉の開扉時には、前記低露点室に対する前記第１給気風量を、前記室間扉が開かれた状態において前記低露点室の室内露点温度が前記室間扉の閉扉時における前記低露点室の室内露点温度以下に保持される露点保持風量まで増加させる点にある。
【００２３】
この構成によれば、室間扉の開扉時にも低露点室の室内露点温度が室間扉の閉扉時における低露点室の室内露点温度以下となる状態（即ち、室内を所要の低露点環境に保った状態）を一層効果的に得ることができる。
【００２４】
なお、この構成の実施においては、設備の試運転やシミュレーションなどにより上記の露点保持風量を予め検証しておき、そして、室間扉の開扉時に第１給気風量をその検証済みの露点保持風量まで増加させる運転形態、あるいは、低露点室の室内露点温度の検出する露点検出手段の検出情報に基づき第１給気風量を調整することで、室間扉の開扉時において第１給気風量を露点保持風量まで増加させる運転形態など、種々の形態を採ることができる。
【００２５】
本発明の第５特徴構成は、第１〜第４特徴構成のいずれかの実施において、
前記室間扉の開扉時には、前記低露点室に対する前記第１給気風量を、前記室間扉が開かれた状態において前記低露点室の室圧が前記補助室の室圧より設定圧力差以上に高く保持される室圧保持風量まで増加させる点にある。
【００２６】
この構成によれば、室開扉の開扉時において、補助室から低露点室への空気侵入に伴う水分浸入を一層効果的に防止することができる。
【００２７】
なお、この構成の実施においては、設備の試運転やシミュレーションなどにより上記の室圧保持風量を予め検証しておき、そして、室間扉の開扉時に第１給気風量をその検証済みの室圧保持風量まで増加させる運転形態、あるいは、低露点室と補助室との室圧差を検出する室内検出手段の検出情報に基づき第１給気風量を調整することで、室間扉の開扉時において第１給気風量を室圧保持風量まで増加させる運転形態など、種々の形態を採ることができる。
【００２８】
本発明の第６特徴構成は、低露点空調設備の運転方法に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を前記室間扉の閉扉時における前記第１給気風量に保った状態で、
前記第３給気口から前記室間開口部の配設域に供給する低露点空気の風量である第３給気風量を、前記室間扉の閉扉時における前記第３給気風量よりも増加させるとともに、
この第３給気風量の増加に背反させて、前記第２給気口から前記補助室に供給する低露点空気の風量である第２給気風量を、前記室間扉の閉扉時における前記第２給気風量よりも減少させる点にある。
【００２９】
この構成においても、基本的には先述の従来設備と同様、室間扉の開扉時には、第１給気口から低露点室に供給する低露点空気の風量（第１給気風量）を室間扉の閉扉時における風量に保った状態で、第３給気口から室間開口部の配設域に供給する低露点空気の風量（第３給気風量）を増加させることで、室間開口部を通じた補助室から低露点室への空気侵入に伴う水分侵入を防止するとともに、室間開口部の配設域における水分負荷処理能力を高めて、室間開口部を通じメンテナンス作業を行なうメンテナンス要員の呼気や発汗などによる発生水分負荷にも対応できるようにし、これにより、室間扉の開扉にかかわらず低露点室の室内を所要の低露点環境に保持する。
【００３０】
そして、この構成では、室間扉の開扉時に室間開口部の配設域に対する第３給気風量を増加させるのに背反させて、第２給気口から補助室に供給する低露点空気の風量（第２給気風量）を減少させるから、第３給気風量の増加による除湿機での処理空気の風量増加を、第３給気風量の増加分と第２給気風量の減少分との相殺により抑止することができる。
【００３１】
したがって、既述の第１特徴構成と同様、処理空気の風量増加に対する除湿機の立ち上がり遅れで、低露点室に供給する低露点空気の露点温度が室間扉の開扉後において一時的にせよ上昇することや、増加後の処理空気の必要風量が除湿機における適正処理可能な風量の上限より大きくなって、低露点室に供給する低露点空気の露点温度が室間扉の開扉後において継続的に高くなったり、その供給風量そのものが室間扉の開扉後において継続的に不足する状態になることを効果的に回避することができる。
【００３２】
このことにより、先述の従来設備に比べ、室間扉の開扉にかかわらず低露点室の室内を所要の低露点環境に一層確実かつ安定的に保持することができて、低露点空調設備の性能及び信頼性を高めることができる。
【００３３】
また、この構成でも、室間扉の開扉時に補助室に対する第２給気風量を減少させるが、室間扉の開扉時には、室間開口部に対する第３給気風量の増加に伴い室間開口部の配設域から補助室に流入する低露点空気の流入量も増加することから、補助室の室内を準低露点室として所要の低露点環境に保つ上で、この第２給気風量の減少が特に問題になることはない。
【００３４】
なお、この構成の実施においても、室間開口部の配設域に対する第３給気風量は室間扉の開扉の際、その開扉に先立ち予め増加させるのが望ましい。
【００３５】
また、この構成の実施において室間扉の閉扉時には室間開口部の配設域に対する第３給気口からの低露点空気の供給を遮断しておく（即ち、室間扉の閉扉時における第３給気風量をゼロにしておく）ようにしてもよい。
【００３６】
本発明の第７特徴構成は、第６特徴構成の実施において、
前記室間扉の開扉時には、前記第３給気風量の増加分だけ、前記第２給気風量を前記室間扉の閉扉時における前記第２給気風量よりも減少させる点にある。
【００３７】
この構成によれば、既述の第２特徴構成と同様、第３給気風量の増加分と第２給気風量の減少分との相殺により、除湿機における処理空気の風量を室間扉の閉扉時及び開扉時を通じて一定化することができ、これにより、第６特徴構成による上述の効果を一層効果的かつ確実に得ることができる。
【００３８】
本発明の第８特徴構成は、第６又は第７特徴構成の実施において、
複数の前記低露点室を前記補助室に対して各別に開放する複数の前記室間開口部と、それら複数の室間開口部を各別に開閉する複数の前記室間扉とを設けた構成において、
それら複数の前記室間扉の開扉時には、対応する複数の前記室間開口部夫々の配設域に対する前記第３給気風量を、複数の前記室間扉の閉扉時における前記第３給気風量よりも増加させるとともに、
それら複数の前記室間開口部夫々の配設域に対する前記第３給気風量の増加分の合計分だけ、前記第２給気風量を複数の前記室間扉の閉扉時における前記第２給気風量よりも減少させる点にある。
【００３９】
この構成によれば、既述の第３特徴構成と同様、室間扉が開扉された複数の室間開口部夫々の配設域に対する第３給気風量の増加分の合計分と、補助室に対する第２給気風量の減少分との相殺により、除湿機における処理空気の風量を複数の室間扉の閉扉時及び開扉時を通じて一定化することができ、これにより、複数の低露点室夫々の室間扉がともに開かれた場合にも、第６特徴構成による上述の効果を一層効果的かつ確実に得ることができる。
【００４０】
本発明の第９特徴構成は、第６〜第８特徴構成のいずれかの実施において、
前記室間扉の開扉時には、前記室間開口部の配設域に対する前記第３給気風量を、前記室間扉が開かれた状態において前記低露点室の室内露点温度が前記室間扉の閉扉時における前記低露点室の室内露点温度以下に保持される露点保持風量まで増加させる点にある。
【００４１】
この構成によれば、室間扉の開扉時にも低露点室の室内露点温度が室間扉の閉扉時における低露点室の室内露点温度以下となる状態（即ち、室内を所要の低露点環境に保った状態）を一層効果的に得ることができる。
【００４２】
なお、この構成の実施においては、設備の試運転やシミュレーションなどにより上記の露点保持風量を予め検証しておき、そして、室間扉の開扉時に第３給気風量をその検証済みの露点保持風量まで増加させる運転形態、あるいは、低露点室の室内露点温度の検出する露点検出手段の検出情報に基づき第３給気風量を調整することで、室間扉の開扉時において第３給気風量を露点保持風量まで増加させる運転形態など、種々の形態を採ることができる。
【００４３】
本発明の第１０特徴構成は、低露点空調設備の運転方法に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備の運転方法であって、
前記室間扉の開扉時には、前記第１給気口から前記低露点室に供給する低露点空気の風量である第１給気風量を、前記室間扉の閉扉時における前記第１給気風量よりも増加させ、かつ、前記第３給気口から前記室間開口部の配設域に供給する低露点空気の風量である第３給気風量を、前記室間扉の閉扉時における前記第３給気風量よりも増加させるとともに、
これら第１給気風量及び第３給気風量の増加に背反させて、前記第２給気口から前記補助室に供給する低露点空気の風量である第２給気風量を、前記室間扉の閉扉時における前記第２給気風量よりも減少させる点にある。
【００４４】
この構成では、室間扉の開扉時に、第１給気口から低露点室に供給する低露点空気の風量（第１給気風量）を増加させるとともに、第３給気口から室間開口部の配設域に供給する低露点空気の風量（第３給気風量）も増加させることで、室間開口部を通じた補助室から低露点室への空気侵入に伴う水分侵入を一層確実に防止するとともに、低露点室及び室間開口部の配設域の夫々における水分負荷処理能力を高めて、室間開口部を通じメンテナンス作業を行なうメンテナンス要員の呼気や発汗などによる発生水分負荷にも一層効果的に対応できるようにし、これにより、室間扉の開扉にかかわらず低露点室の室内を所要の低露点環境に一層確実に保持できるようにする。
【００４５】
そして、この構成では、室間扉の開扉時に低露点室に対する第１給気風量及び室間開口部の配設域に対する第３給気風量を増加させるのに背反させて、第２給気口から補助室に供給する低露点空気の風量（第２給気風量）を減少させるから、第１給気風量及び第３給気風量の増加による除湿機での処理風量の増加を、第１及び第３給気風量夫々の増加分の合算分と第２給気風量の減少分との相殺により抑止することができる。
【００４６】
したがって、既述の第１特徴構成や第６特徴構成と同様、処理空気の風量増加に対する除湿機の立ち上がり遅れで、低露点室に供給する低露点空気の露点温度が室間扉の開扉後において一時的にせよ上昇することや、増加後の処理空気の必要風量が除湿機における適正処理可能な風量の上限より大きくなって、低露点室に供給する低露点空気の露点温度が室間扉の開扉後において継続的に高くなったり、その供給風量そのものが室間扉の開扉後において継続的に不足する状態になることを効果的に回避することができる。
【００４７】
このことにより、先述の従来設備に比べ、室間扉の開扉にかかわらず低露点室の室内を所要の低露点環境に一層確実かつ安定的に保持することができて、低露点空調設備の性能及び信頼性を高めることができる。
【００４８】
また、この構成でも、室間扉の開扉時に補助室に対する第２給気風量を減少させるが、室間扉の開扉時には、低露点室に対する第１給気風量の増加及び室間開口部の配設域に対する第３給気風量の増加に伴い、低露点室や室間開口部の配設域から補助室に流入する低露点空気の流入量も増加することから、補助室の室内を準低露点室として所要の低露点環境に保つ上で、この第２給気風量の減少が特に問題になることはない。
【００４９】
なお、この構成の実施においても、低露点室に対する第１給気風量及び室間開口部の配設域に対する第３給気風量は室間扉の開扉の際、その開扉に先立ち予め増加させるのが望ましい。
【００５０】
また、この構成の実施において室間扉の閉扉時には室間開口部の配設域に対する第３給気口からの低露点空気の供給を遮断しておく（即ち、室間扉の閉扉時における第３給気風量をゼロにしておく）ようにしてもよい。
【００５１】
本発明の第１１特徴構成は、第１０特徴構成の実施において、
前記室間扉の開扉時には、前記第１給気風量の増加分と前記第３給気風量の増加分との合算分だけ、前記第２給気風量を前記室間扉の閉扉時における前記第２給気風量よりも減少させる点にある。
【００５２】
この構成によれば、既述の第２特徴構成や第７特徴構成と同様、第１及び第３給気風量夫々の増加分の合算分と第２給気風量の減少分との相殺により、除湿機における処理空気の風量を室間扉の閉扉時及び開扉時を通じて一定化することができ、これにより、第１０特徴構成による上述の効果を一層効果的かつ確実に得ることができる。
【００５３】
本発明の第１２特徴構成は、第１０又は第１１特徴構成の実施において、
複数の前記低露点室を前記補助室に対して各別に開放する複数の前記室間開口部と、それら複数の室間開口部を各別に開閉する複数の前記室間扉とを設けた構成において、
それら複数の前記室間扉の開扉時には、対応する複数の前記低露点室の夫々に対する前記第１給気風量を、複数の前記室間扉の閉扉時における前記第１給気風量よりも増加させ、かつ、対応する複数の前記室間開口部夫々の配設域に対する前記第３給気風量を、複数の前記室間扉の閉扉時における前記第３給気風量よりも増加させるとともに、
それら複数の低露点室の夫々に対する前記第１給気風量の増加分の合計分と、それら複数の前記室間開口部夫々の配設域に対する前記第３給気風量の増加分の合計分との合算分だけ、前記第２給気風量を複数の前記室間扉の閉扉時における前記第２給気風量よりも減少させる点にある。
【００５４】
この構成によれば、既述の第３特徴構成や第８特徴構成と同様、室間扉が開扉された複数の低露点室の夫々に対する第１給気風量の増加分の合計分と、室間扉が開扉された複数の室間開口部夫々の配設域に対する第３給気風量の増加分の合計分との合算分に対して、その合算分と補助室に対する第２給気風量の減少分との相殺により、除湿機における処理空気の風量を複数の室間扉の閉扉時及び開扉時を通じて一定化することができ、これにより、複数の低露点室夫々の室間扉がともに開かれた場合にも、第７特徴構成による上述の効果を一層効果的かつ確実に得ることができる。
【００５５】
本発明の第１３特徴構成は、第１０〜第１２特徴構成のいずれかの実施において、
前記室間扉の開扉時には、前記低露点室に対する前記第１給気風量又は前記室間開口部の配設域に対する前記第３給気風量を、前記室間扉が開かれた状態において前記低露点室の室内露点温度が前記室間扉の閉扉時における前記低露点室の室内露点温度以下に保持される露点保持風量まで増加させる点にある。
【００５６】
この構成によれば、室間扉の開扉時にも低露点室の室内露点温度が室間扉の閉扉時における低露点室の室内露点温度以下となる状態（即ち、室内を所要の低露点環境に保った状態）を一層効果的に得ることができる。
【００５７】
なお、この構成の実施においては、設備の試運転やシミュレーションなどにより上記の露点保持風量を予め検証しておき、そして、室間扉の開扉時に第１給気風量又は第３給気風量をその検証済みの露点保持風量まで増加させる運転形態、あるいは、低露点室の室内露点温度の検出する露点検出手段の検出情報に基づき第１給気風量又は第３給気風量を調整することで、室間扉の開扉時において第１給気風量又は第３給気風量を露点保持風量まで増加させる運転形態など、種々の形態を採ることができる。
【００５８】
本発明の第１４特徴構成は、第１０〜第１３特徴構成のいずれかの実施において、
前記室間扉の開扉時には、前記低露点室に対する前記第１給気風量を、前記室間扉が開かれた状態において前記低露点室の室圧が前記補助室の室圧又は前記室間開口部の配設域における域圧より設定圧力差以上に高く保持される室圧保持風量まで増加させる点にある。
【００５９】
この構成によれば、室開扉の開扉時において、補助室から低露点室への空気侵入に伴う水分浸入を一層効果的に防止することができる。
【００６０】
なお、この構成の実施においては、設備の試運転やシミュレーションなどにより上記の室圧保持風量を予め検証しておき、そして、室間扉の開扉時に第１給気風量をその検証済みの室圧保持風量まで増加させる運転形態、あるいは、低露点室と補助室との室圧差を検出する室内検出手段の検出情報に基づき第１給気風量を調整することで、室間扉の開扉時において第１給気風量を室圧保持風量まで増加させる運転形態など、種々の形態を採ることができる。
【００６１】
本発明の第１５特徴構成は、低露点空調設備に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第１給気口から前記低露点室に供給する低露点空気の風量である第１給気風量を調整する第１風量調整ダンパと、
前記第２給気口から前記補助室に供給する低露点空気の風量である第２給気風量を調整する第２風量調整ダンパとを設けるとともに、
これら第１及び第２風量調整ダンパ夫々の開度を調整する制御手段を設け、
この制御手段は、前記室間扉の開扉を知らせる開扉信号を受信すると、
前記第１風量調整ダンパの開度を調整して前記第１給気風量を前記室間扉の閉扉時における前記第１給気風量よりも増加させるとともに、
前記第２風量調整ダンパの開度を調整して前記第２給気風量を前記室間扉の閉扉時における前記第２給気風量よりも減少させる構成にしてある点にある。
【００６２】
この構成によれば、第１及び第２風量調整ダンパに対する制御手段の上記の如き制御動作により、既述した第１特徴構成の運転方法を開扉信号に基づいて自動的に実施させることができ、これにより、第１特徴構成による既述の効果を一層確実かつ簡便に得ることができる。
【００６３】
なお、この構成の実施において制御手段は、開扉信号を受信したとき、第１給気風量の増加分だけ、第２給気風量を室間扉の閉扉時における第２給気風量よりも減少させる状態に第２風量調整ダンパの開度を調整する構成にし、これにより、既述の第２特徴構成の運転方法を自動的に実施させるようにしてもよい。
【００６４】
また、複数の低露点室を補助室に対して各別に開放する複数の前記室間開口部と、それら複数の室間開口部を各別に開閉する複数の室間扉とを設けた構成において、制御手段は、開扉信号を受信したとき、複数の低露点室の夫々に対する第１給気風量の増加分の合計分だけ、第２給気風量を複数の室間扉の閉扉時における第２給気風量よりも減少させる状態に第２風量調整ダンパの開度を調整する構成にし、これにより、既述の第３特徴構成の運転方法を自動的に実施させるようにしてもよい。
【００６５】
さらに、制御手段は、開扉信号を受信したとき、低露点室に対する第１給気風量を、室間扉が開かれた状態において低露点室の室内露点温度が室間扉の閉扉時における低露点室の室内露点温度以下に保持される露点保持風量まで増加させる構成、あるいはまた、開扉信号を受信したとき、低露点室に対する第１給気風量を、室間扉が開かれた状態において低露点室の室圧が補助室の室圧より設定圧力差以上に高く保持される室圧保持風量まで増加させる構成などにして、既述の第４特徴構成や第５特徴構成の運転方法を自動的に実施させるようにしてもよい。
【００６６】
本発明の第１６特徴構成は、低露点空調設備に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第３給気口から前記室間開口部の配設域に供給する低露点空気の風量である第３給気風量を調整する第３風量調整ダンパと、
前記第２給気口から前記補助室に供給する低露点空気の風量である第２給気風量を調整する第２風量調整ダンパとを設けるとともに、
これら第３及び第２風量調整ダンパ夫々の開度を調整する制御手段を設け、
この制御手段は、前記室間扉の開扉を知らせる開扉信号を受信すると、
前記第３風量調整ダンパの開度を調整して前記第３給気風量を前記室間扉の閉扉時における前記第３給気風量よりも増加させるとともに、
前記第２風量調整ダンパの開度を調整して前記第２給気風量を前記室間扉の閉扉時における前記第２給気風量よりも減少させる構成にしてある点にある。
【００６７】
この構成によれば、第３及び第２風量調整ダンパに対する制御手段の上記の如き制御動作により、既述した第６特徴構成の運転方法を開扉信号に基づいて自動的に実施させることができ、これにより、第６特徴構成による既述の効果を一層確実かつ簡便に得ることができる。
【００６８】
なお、この構成の実施において制御手段は、開扉信号を受信したとき、第３給気風量の増加分だけ、第２給気風量を室間扉の閉扉時における第２給気風量よりも減少させる状態に第２風量調整ダンパの開度を調整する構成にし、これにより、既述の第７特徴構成の運転方法を自動的に実施させるようにしてもよい。
【００６９】
また、複数の低露点室を補助室に対して各別に開放する複数の前記室間開口部と、それら複数の室間開口部を各別に開閉する複数の室間扉とを設けた構成において、制御手段は、開扉信号を受信したとき、複数の室間開口部夫々の配設域に対する第３給気風量の増加分の合計分だけ、第２給気風量を複数の室間扉の閉扉時における第２給気風量よりも減少させる状態に第２風量調整ダンパの開度を調整する構成にし、これにより、既述の第８特徴構成の運転方法を自動的に実施させるようにしてもよい。
【００７０】
さらに、制御手段は、開扉信号を受信したとき、室間開口部の配設域に対する第３給気風量を、室間扉が開かれた状態において低露点室の室内露点温度が室間扉の閉扉時における低露点室の室内露点温度以下に保持される露点保持風量まで増加させる構成にして、既述の第９特徴構成の運転方法を自動的に実施させるようにしてもよい。
【００７１】
本発明の第１７特徴構成は、低露点空調設備に係り、その特徴は、
低露点室を補助室に対して開放する室間開口部に、その室間開口部を開閉する室間扉を設け、
除湿機により生成される低露点空気を前記低露点室に対する第１給気口と、前記補助室に対する第２給気口と、前記室間開口部の配設域に対する第３給気口とに送る給気路を設け、
前記第１給気口からの前記低露点室への低露点空気の供給に伴い前記低露点室の室内低露点空気を前記補助室に流出させる室間通気路を設け、
前記第２給気口及び前記室間通気路からの前記補助室への低露点空気の供給に伴い前記補助室の室内空気を外部へ排出する排気路又はその室内空気を前記除湿機に戻す還気路を設けてある低露点空調設備であって、
前記第１給気口から前記低露点室に供給する低露点空気の風量である第１給気風量を調整する第１風量調整ダンパと、
前記第３給気口から前記室間開口部の配設域に供給する低露点空気の風量である第３給気風量を調整する第３風量調整ダンパと、
前記第２給気口から前記補助室に供給する低露点空気の風量である第２給気風量を調整する第２風量調整ダンパとを設けるとともに、
これら第１，第３及び第２風量調整ダンパ夫々の開度を調整する制御手段を設け、
この制御手段は、前記室間扉の開扉を知らせる開扉信号を受信すると、
前記第１風量調整ダンパの開度を調整して前記第１給気風量を前記室間扉の閉扉時における前記第１給気風量よりも増加させ、
かつ、前記第３風量調整ダンパの開度を調整して前記第３給気風量を前記室間扉の閉扉時における前記第３給気風量よりも増加させるとともに、
前記第２風量調整ダンパの開度を調整して前記第２給気風量を前記室間扉の閉扉時における前記第２給気風量よりも減少させる構成にしてある点にある。
【００７２】
この構成によれば、第１，第３及び第２風量調整ダンパに対する制御手段の上記の如き制御動作により、既述した第１０特徴構成の運転方法を開扉信号に基づいて自動的に実施させることができ、これにより、第１０特徴構成による既述の効果を一層確実かつ簡便に得ることができる。
【００７３】
なお、この構成の実施において制御手段は、開扉信号を受信したとき、第１給気風量の増加分と第３給気風量の増加分との合算分だけ、第２給気風量を室間扉の閉扉時における第２給気風量よりも減少させる状態に第２風量調整ダンパの開度を調整する構成にし、これにより、既述の第１１特徴構成の運転方法を自動的に実施させるようにしてもよい。
【００７４】
また、複数の低露点室を補助室に対して各別に開放する複数の前記室間開口部と、それら複数の室間開口部を各別に開閉する複数の室間扉とを設けた構成において、制御手段は、開扉信号を受信したとき、複数の低露点室の夫々に対する第１給気風量の増加分の合計分と、複数の室間開口部夫々の配設域に対する第３給気風量の増加分の合計分との合算分だけ、第２給気風量を複数の室間扉の閉扉時における第２給気風量よりも減少させる状態に第２風量調整ダンパの開度を調整する構成にし、これにより、既述の第１２特徴構成の運転方法を自動的に実施させるようにしてもよい。
【００７５】
さらに、制御手段は、開扉信号を受信したとき、低露点室に対する第１給気風量又は室間開口部の配設域に対する第３給気風量を、室間扉が開かれた状態において低露点室の室内露点温度が室間扉の閉扉時における低露点室の室内露点温度以下に保持される露点保持風量まで増加させる構成、あるいはまた、開扉信号を受信したとき、低露点室に対する第１給気風量を、室間扉が開かれた状態において低露点室の室圧が補助室の室圧より設定圧力差以上に高く保持される室圧保持風量まで増加させる構成などにして、既述の第１３特徴構成や第１４特徴構成の運転方法を自動的に実施させるようにしてもよい。
【００７６】
本発明の第１８特徴構成は、第１５又は第１７特徴構成の実施において、
前記低露点室の室内低露点空気を前記補助室へ漏出させて前記第１給気風量の増加に伴う前記低露点室の室圧上昇を緩和する差圧保持ダンパを設けてある点にある。
【００７７】
この構成によれば、室間扉の開扉時において低露点室に対する第１給気風量を増加させたときに、その第１給気風量の増加により低露点室の室圧が急激に増大して室構造や室内機器あるいは室内物品などに悪影響を与えることを効果的に回避することができ、特に室間扉の開扉の際、その開扉に先立ち第１給気風量を増加させる場合に有効である。
【００７８】
また、第１給気風量の増加に伴う低露点室の室圧上昇を緩和するには、別法として、室間扉の開き動作の進行に伴い第１風量調整ダンパの開度を徐々に増大させることも考えられるが、この場合、室間扉の開度と第１風量調整ダンパの開度との連係が必要になることで、第１風量調整ダンパを制御する制御手段の構成が煩雑になる。
【００７９】
この点、上記構成によれば、室圧上昇の緩和については差圧保持ダンパが担うことから、制御手段は室間扉の開度とは無関係に開扉信号の受信に基づいて第１風量調整ダンパを制御するだけのものにすることができ、その分、制御手段を簡素化することもできる。
【００８０】
本発明の第１９特徴構成は、第１６又は第１７特徴構成の実施において、
前記第３給気口は、低露点空気を供給する前記室間開口部の配設域として、前記補助室の側における前記室間開口部の対向箇所に低露点空気を供給する状態に配置してある点にある。
【００８１】
この構成によれば、室間扉の開扉時においてメンテナンス要員が補助室の側における室間開口部の対向箇所に位置した状態で室間開口部を通じ低露点室の室内をメンテナンスする場合に、そのメンテナンス要員の呼気や発汗による発生水分負荷を、第３給気口から補助室の側における室間開口部の対向箇所に供給する低露点空気により集中的に効率良く処理することができ、これにより、メンテナンスのために室間扉が開かれた低露点室の室内を所要の低露点環境に保つことをさらに効果的に達成することができる。
【図面の簡単な説明】
【００８２】
【図１】第１実施形態を示す低露点空調設備の設備構成図
【図２】第１実施形態での各給気風量の増減関係を示す表
【図３】第２実施形態を示す低露点空調設備の設備構成図
【図４】第２実施形態における各給気風量の増減関係を示す表
【図５】第３実施形態を示す低露点空調設備の設備構成図
【図６】第３実施形態における各給気風量の増減関係を示す表
【図７】他の実施形態における各給気風量の増減関係を示す表
【図８】第４実施形態を示す低露点空調設備の設備構成図
【図９】第４実施形態における各給気風量の増減関係を示す表
【図１０】他の実施形態における各給気風量の増減関係を示す表
【発明を実施するための形態】
【００８３】
（第１実施形態）
図１は低露点空調設備を示し、１は室内での生産作業や物品の室内保管などにおいて室内を低露点環境に保つことが要求される低露点室、２は低露点室１に対する物品の搬出入や低露点室１に対するメンテナンスなどを行なう補助室であり、この補助室２は準低露点室として低露点室１に次ぐ室内低露点環境が要求される。
【００８４】
低露点室１には、低露点室１の室内を補助室２に対して開放する室間開口部３を設けるとともに、この室間開口部３を開閉する室間扉４を設けてあり、通常はこの室間扉４を閉じておくことで低露点室１の室内低露点環境を保全し、必要時に室間扉４を開くことで室間開口部３を通じて低露点室１に対する物品の搬出入や低露点室１の室内に対するメンテナンスなどを行なう。
【００８５】
５は、設定給気露点温度ｔｓ（例えば−６０℃ＤＰ）の低露点空気ＳＡを生成する除湿機であり、低露点室１には、除湿機５により生成されて給気路６により導かれる低露点空気ＳＡを低露点室１に供給する第１給気口７を設けてあり、本実施形態では、この第１給気口７として主給気口７ａと補助給気口７ｂとを設けてある。
【００８６】
補助室２には、同じく除湿機５により生成されて給気路６により導かれる低露点空気ＳＡを補助室２に供給する第２給気口８を設けてある。
【００８７】
また、給気路６のうち低露点室１の主給気口７ａに接続する端末部分６ａには、主給気口７ａから低露点室１に供給する低露点空気ＳＡの風量である主給気風量ｑａを設定主給気風量ｘに自動調整（ｑａ＝ｘ）する定風量装置９を介装してある。
【００８８】
給気路６のうち低露点室１の補助給気口７ｂに接続する端末部分６ｂには、補助給気口７ｂから低露点室１に供給する低露点空気ＳＡの風量である補助給気風量ｑｂを調整する第１風量調整ダンパ１０を介装してある。
【００８９】
給気路６のうち補助室２の第２給気口８に接続する端末部分６ｃには、第２給気口８から補助室２に供給する低露点空気ＳＡの風量である第２給気風量Ｑ２を調整する第２風量調整ダンパ１１を介装してある。
【００９０】
即ち、低露点室１に対する第１給気口７（７ａ，７ｂ）から低露点室１に供給する低露点空気ＳＡの風量である第１給気風量Ｑ１（＝ｑａ（ｘ）＋ｑｂ）は、第１風量調整ダンパ１０の開度を調整して補助給気口７ｂからの補助給気風量ｑｂを調整することで調整される。
【００９１】
低露点室１には、第１給気口７（７ａ，７ｂ）からの低露点空気ＳＡの供給に伴い成り行き風量ｑｔの室内低露点空気ＳＡ′を補助室２に流出させる室間通気路１２を設けてある。
【００９２】
また、低露点室１には、低露点室１から補助室２への室内低露点空気ＳＡ′の漏出風量ｑｐを自動調整することで、室間扉４の閉扉時において低露点室１の室圧ｐ１が補助室２の室圧ｐ２よりも設定室圧差Δｐａ以上に上昇することを回避する差圧保持ダンパ１３を設けてある。
【００９３】
従って、室間扉４の閉扉時において低露点室１からは、上記第１給気風量Ｑ１（＝ｑａ（ｘ）＋ｑｂ）と等しい風量（ｑｔ＋ｑｐ）の室内低露点空気ＳＡ′が室間通気路１２及び差圧保持ダンパ１３を通じて補助室２に流出する。
【００９４】
換言すれば、室間扉４の閉扉時において補助室２には、第２給気口８から第２給気風量Ｑ２の低露点空気ＳＡが供給されるのに加えて、室間通気口１２及び差圧保持ダンパ１３を通じて低露点室１に対する第１給気風量Ｑ１と等しい風量（ｑｔ＋ｑｐ）の室内低露点空気ＳＡ′が低露点室１から供給される。
【００９５】
補助室２には、還気路１４及び排気路１５を接続してあり、第２給気口８、室間通気路１２並びに差圧保持ダンパ１３からの補助室２に対する低露点空気ＳＡ，ＳＡ′の供給に伴い、その供給風量（Ｑ２＋ｑｔ＋ｑｐ）の一部に相当する風量ｑｒの室内空気が還気空気ＲＡとして還気路１４を通じ補助室２から除湿機５に戻される。
【００９６】
また、第２給気口８、室間通気路１２並びに差圧保持ダンパ１３からの補助室２に対する低露点空気ＳＡ，ＳＡ′の供給に伴い、その供給風量（Ｑ２＋ｑｔ＋ｑｐ）の残部に相当する風量ｑｅの室内空気が排気空気ＥＡとして排気路１５を通じ補助室２から外部に排出される。
【００９７】
除湿機５には、補助室２からの排気空気ＥＡの風量ｑｅに相当する風量ｑｏ（＝ｑｅ）の外気ＯＡを取り入れる外気導入路１６を上記還気路１４とともに接続してある。
【００９８】
即ち、除湿機５は、還気路１４を通じ導入される還気空気ＲＡと外気導入路１６を通じ導入される外気ＯＡとの合流空気を処理空気として、それら導入される処理空気ＲＡ，ＯＡを除湿処理することにより、設定給気露点温度ｔｓで、第１給気風量Ｑ１と第２給気風量Ｑ２との和に等しい風量（Ｑ１＋Ｑ２＝ｑｒ＋ｑｏ）の低露点空気ＳＡを連続的に生成する。
【００９９】
主給気口７ａからの供給風量である設定主給気風量ｘ（即ち、定風量装置９に対する設定風量）については、室間扉４の閉扉時において、その設定主給気風量ｘの低露点空気ＳＡを低露点室１に供給するだけで、差圧保持ダンパ１３の室圧保持機能により低露点室１の室圧ｐ１が補助室２の室圧ｐ２よりも設定室圧差Δｐａだけ高く保たれた状態で、低露点室１の室内が設定第１露点温度ｔ１（例えば−４０℃ＤＰ）以下の低露点環境に保たれる風量を設定してある。
【０１００】
なお、この状態において差圧保持ダンパ１３は、低露点室１の室内低露点空気ＳＡ′が若干風量ｑｐだけ差圧保持ダンパ１３を通じて補助室２へ定常的に漏洩する状態になる。
【０１０１】
つまり、この風量設定により、室間扉４の閉扉時には（参照：図２の表）、主給気口７ａからの供給風量である設定主給気風量ｘを閉扉時第１給気風量として、補助給気口７ｂからの低露点空気ＳＡの供給を第１風量調整ダンパ１０の全閉操作により遮断した状態で（Ｑｂ＝０）、低露点室１に対する第１給気風量Ｑ１を主給気口７ａからの設定主給気風量ｘに制限しても（Ｑ１＝ｘ）、低露点室１の室内が設定第１露点温度ｔ１以下の低露点環境に保たれるようにしてある。
【０１０２】
また、このように室間扉４の閉扉時において低露点室１に対する第１給気風量Ｑ１を閉扉時第１給気風量としての設定主給気風量ｘに制限したとき（Ｑ１＝ｘ）、第２給気口８から補助室２に供給する低露点空気ＳＡの風量である第２給気風量Ｑ２については、補助室２の室内が設定第２露点温度ｔ２（例えば−２５℃ＤＰ）以下の低露点環境に保たれる風量ｙを閉扉時第２給気風量として、第２風量調整ダンパ１１の調整により第２給気口８からの供給風量である第２給気風量Ｑ２を、その閉扉時第２給気風量ｙに調整する（Ｑ２＝ｙ）。
【０１０３】
即ち、第２給気口８から供給する閉扉時第２給気風量ｙの低露点空気ＳＡと、室間通気路１２及び差圧保持ダンパ１３を通じて低露点室１から補助室２に流入する室内低露点空気ＳＡ′とにより得られる補助室２の水分負荷処理機能により、収容人員の呼気や発汗などによる補助室２での発生水分負荷を処理して、補助室２の室内を設定第２露点温度ｔ２以下の低露点環境に保持するようにする。
【０１０４】
ここで、１７は補助室２の側で室間扉４の近傍に配置した管理器であり、この管理器１７には開扉信号ｏｓを管理器１７から発信させる開扉スイッチ１７ａ、及び、閉扉信号ｓｓを管理器１７から発信させる閉扉スイッチ１７ｂを設けてある。
【０１０５】
また、１８は第１及び第２風量調整ダンパ１０，１１の開度を調整する制御手段としての制御器であり、この制御器１８は、管理器１７から送信される開扉信号ｏｓ及び閉扉信号ｓｓに応じて第１及び第２風量調整ダンパ１０，１１の開度を調整することで、補助給気口７ｂからの供給風量である補助給気風量ｑｂを調整して低露点室１に対する第１給気風量Ｑ１（＝ｘ＋ｑｂ）を自動調整するとともに、補助室２に対する第２給気風量Ｑ２を自動調整する。
【０１０６】
具体的には、この制御器１８は次のＡ１〜Ａ３の制御を実行するものにしてある（参照：図２の表）。
【０１０７】
Ａ１：基本制御として、室間扉４の閉扉時には、第１風量調整ダンパ１０を全閉に保持して、補助給気口７ｂからの低露点空気ＳＡの供給を遮断する（ｑｂ＝０）。
【０１０８】
これにより、第１給気口７（７ａ，７ｂ）から低露点室１に供給する低露点空気ＳＡの風量である第１給気風量Ｑ１を、予め設定してある前記の閉扉時第１給気風量ｘ（即ち、定風量装置９に対する設定主給気風量）に調整する（Ｑ１＝ｘ）。
【０１０９】
また、第２風量調整ダンパ１１の開度を調整して、第２給気口８から補助室２に供給する低露点空気ＳＡの風量である第２給気風量Ｑ２を、前記の閉扉時第２給気風量ｙに調整する（Ｑ２＝ｙ）。
【０１１０】
即ち、この基本制御により、室間扉４の閉扉時において、既述の如く低露点室１の室内を設定第１露点温度室ｔ１以下の低露点環境に保つとともに、補助室２の室内を設定第２露点温度ｔ２以下の低露点環境に保つ。
【０１１１】
Ａ２：室間扉４の開扉の際、その開扉に先立ちメンテナンス要員により管理器１７の開扉スイッチ１７ａが操作され、その操作により管理器１７から発信される開扉信号ｏｓを受信すると、開扉時制御として、第１風量調整ダンパ１０を開くとともにその開度を調整して、補助給気口７ｂから低露点室１に供給する低露点空気ＳＡの風量である補助給気風量ｑｂを、予め設定してある設定補助給気風量ｚに調整する（ｑｂ＝ｚ）。
【０１１２】
これにより、低露点室１に対する第１給気風量Ｑ１を、閉扉時第１給気風量ｘ（設定主給気風量）から設定補助給気風量ｚだけ増加させる（Ｑ１＝ｘ＋ｚ）。
【０１１３】
また、第２風量調整ダンパ１１の開度を調整して、補助室２に対する第２給気風量Ｑ２を、上記Ａ１の基本制御の実行下における閉扉時第２給気風量ｙから低露点室１に対する第１給気風量Ｑ１の増加分ｚだけ減少させる（Ｑ２＝ｙ−ｚ）。
【０１１４】
即ち、この開扉時制御により、開扉スイッチ１７ａの操作に続き室間扉４が開かれた状態においても、第１給気風量Ｑ１の増加（ｘ⇒ｘ＋ｚ）により低露点室１の室内を設定第１露点温度ｔ１以下の低露点環境に保持する。
【０１１５】
なお、第１給気風量Ｑ１の増加分である設定補助給気風量ｚとしては、室間扉４が開かれた状態においても、低露点室１の室圧ｐ１を補助室２の室圧ｐ２より設定開扉時室圧差Δｐｂ以上に高く保持でき、かつ、室間開口部３を通じメンテナンス作業を行なうメンテナンス要員の呼気や発汗などによる開扉時の発生水分負荷も十分に処理し得る風量を設定してある。
【０１１６】
換言すれば、開扉信号ｏｓを受信したとき、低露点室１に対する第１給気風量Ｑ１を、室間扉４が開かれた状態において低露点室１の室内露点温度が室間扉４の閉扉時における低露点室１の室内露点温度ｔ１（設定第１露点温度）以下に保持される露点保持風量であるとともに、室間扉４が開かれた状態において低露点室１ａの室圧ｐ１が補助室２の室圧ｐ２より設定圧力差Δｐｂ（設定開扉時室圧差）以上に高く保持される室圧保持風量でもある風量（＝ｘ＋ｚ）まで増加させるようにしてある。
【０１１７】
また、上記の如く室間扉４の開扉の際、その開扉に先立ち第１給気風量Ｑ１を増加させた場合、その風量増加により低露点室１の室圧ｐ１が上昇するが、この室圧上昇は差圧保持ダンパ１３の室圧保持機能により緩和される。
【０１１８】
Ａ３：その後、室間扉４が閉じられて、メンテナンス要員により管理器１７の閉扉スイッチ１７ｂが操作され、その操作により管理器１７から発信される閉扉信号ｓｓを受信すると、復帰制御として、第１風量調整ダンパ１０を全閉にして補助給気口７ｂからの低露点空気ＳＡの供給を遮断する（ｑｂ＝０）。
【０１１９】
これにより、低露点室１に対する第１給気風量Ｑ１を、室間扉４の開扉時における第１給気風量（ｘ＋ｚ）から設定補助給気風量ｚだけ減少させて、閉扉時第１給気風量ｘ（設定主給気風量）に復帰させる（Ｑ１＝ｘ）。
【０１２０】
また、第２風量調整ダンパ１１の開度を調整して、補助室２に対する第２給気風量Ｑ２を、室間扉４の開扉時における第２給気風量（ｙ―ｚ）から第１給気風量Ｑ１の減少分ｚだけ増加させて閉扉時第２給気風量ｙに復帰させる（Ｑ２＝ｙ）。
【０１２１】
即ち、この復帰制御によりＡ１の基本制御の実行状態に復帰する。
【０１２２】
以上、この第１実施形態の低露点空調設備では、制御器１８の上記制御動作により、室間扉４の開扉時には、第１給気口７から低露点室１に供給する低露点空気ＳＡの風量である第１給気風量Ｑ１を、室間扉４の閉扉時における第１給気風量ｘよりも増加（ｘ⇒ｘ＋ｚ）させるとともに、この第１給気風量Ｑ１の増加に背反させて、第２給気口８から補助室２に供給する低露点空気ＳＡの風量である第２給気風量Ｑ２を、第１給気風量Ｑ１の増加分ｚだけ、室間扉４の閉扉時における第２給気風量ｙよりも減少（ｙ⇒ｙ−ｚ）させるようにしてある。
【０１２３】
即ち、この風量調整形態を採ることで、室間扉４の開扉時において第１給気風量Ｑ１の増加（ｘ⇒ｘ＋ｚ）により除湿機５における処理空気の風量（Ｑ１＋Ｑ２）が増加することを、第１給気風量Ｑ１の増加分ｚと第２給気風量Ｑ２の減少分ｚとの相殺により回避する。
【０１２４】
そして、このように第１給気風量Ｑ１の増加による処理空気の風量増加を回避することで、処理空気の風量増加に対する除湿機５の立ち上がり遅れで、低露点室１に供給する低露点空気ＳＡの露点温度が室間扉４の開扉後において一時的にせよ上昇することや、増加後の処理空気の必要風量が除湿機５における適正処理可能な風量の上限より大きくなって、低露点室１に供給する低露点空気ＳＡの露点温度が室間扉４の開扉後において継続的に高くなったり、その供給風量そのものが室間扉４の開扉後において継続的に不足する状態になることを回避し、これにより、室間扉４の開扉にかかわらず低露点室１の室内を所要の低露点環境に一層確実かつ安定的に保持し得るようにする。
【０１２５】
なお、上記例では、定風量装置９により風量調整される主給気口７ａと第１風量調整ダンパ１０により風量調整される補助給気口７ｂとで低露点室１に対する第１給気口７を構成する例を示したが、第１風量調整ダンパ１０により風量調整される単数ないし複数の給気口だけで低露点室１に対する第１給気口７を構成するようにしてもよい。
【０１２６】
（第２実施形態）
図３に示す第２実施形態の低露点空調設備では、共通の補助室２に対して、ともに第１実施形態で示した低露点室１と同様の二室の低露点室１ａ，１ｂを配設してある。
【０１２７】
また、各低露点室１ａ，１ｂの主給気口７ａ及び補助給気口７ｂ並びに補助室２の第２給気口８には、共通の除湿機５により生成される低露点空気ＳＡを給気路６を通じて供給するようにしてある。
【０１２８】
低露点室１ａの側の主給気口７ａに対する定風量装置９は、その主給気口７ａから低露点室１ａに供給する低露点空気ＳＡの風量である主給気風量ｑａ（即ち、低露点室１ａの側の閉扉時第１給気風量とする風量）を設定主給気風量ｘに自動調整する。
【０１２９】
他方、低露点室１ｂの側の主給気口７ａに対する定風量装置９は、その主給気口７ａから低露点室１ｂに供給する低露点空気ＳＡの風量である主給気風量ｑａ′（即ち、低露点室１ｂの側の閉扉時第１給気風量とする風量）を設定主給気風量ｘ′に自動調整する。
【０１３０】
これに対し、両低露点室１ａ，１ｂの室間扉４がともに閉じられている状態では（参照：図４の表）、第２給気口８からの補助室２に対する低露点空気ＳＡの供給風量である第２給気風量Ｑ２を、第２風量調整ダンパ１１の調整により閉扉時第２給気風量ｙに調整することで、補助室２の室内を所要の低露点環境に保持する。
【０１３１】
なお、図３において第１実施形態と同じ符号を付したものは第１実施形態で示したのと同じものである。
【０１３２】
この第２実施形態の低露点空調設備において、制御器１８は次のＢ１〜Ｂ４の制御を実行するものにしてある（参照：図４の表）。
【０１３３】
Ｂ１：基本制御として、両低露点室１ａ，１ｂの室間扉４がともに閉じられている状態では、低露点室１ａの側の第１風量調整ダンパ１０を全閉に保持して、低露点室１ａにおける補助給気口７ｂからの低露点空気ＳＡの供給を遮断する（ｑｂ＝０）。
【０１３４】
同様に、低露点室１ｂの側の第１風量調整ダンパ１０を全閉に保持して、低露点室１ｂにおける補助給気口７ｂからの低露点空気ＳＡの供給を遮断する（ｑｂ′＝０）。
【０１３５】
これにより、低露点室１ａの側の第１給気風量Ｑ１（＝ｑａ＋ｑｂ）を予め設定してある閉扉時第１給気風量ｘ（即ち、低露点室１ａの側の定風量装置９に対する設定主給気風量）に調整するとともに、低露点室１ｂの側の第１給気風量Ｑ１′（＝ｑａ′＋ｑｂ′）を予め設定してある閉扉時第１給気風量ｘ′（即ち、低露点室１ｂの側の定風量装置９に対する設定主給気風量）に調整する。
【０１３６】
また、第２風量調整ダンパ１１の開度を調整して、補助室２に対する第２給気風量Ｑ２を前記の閉扉時第２給気風量ｙに調整する。
【０１３７】
即ち、この基本制御により、低露点室１ａ，１ｂ夫々の室内を所要の低露点環境に保持するとともに、補助室２の室内を準低露点室として所要の低露点環境に保持する。
【０１３８】
Ｂ２：低露点室１ａの側の管理器１７から発信される開扉信号ｏｓを受信すると、低露点室１ａに対する開扉時制御として、低露点室１ａの側の第１風量調整ダンパ１０を開くとともにその開度を調整して、低露点室１ａの側の補助給気口７ｂから低露点室１ａに供給する低露点空気ＳＡの風量である補助給気風量ｑｂを、予め設定してある設定補助給気風量ｚに調整する（ｑｂ＝ｚ）。
【０１３９】
これにより、低露点室１ａの側の第１給気風量Ｑ１（＝ｑａ＋ｑｂ）を、上記の閉扉時第１給気風量ｘから設定補助給気風量ｚだけ増加させる（Ｑ１＝ｘ＋ｚ）
【０１４０】
。
また、第２風量調整ダンパ１１の開度を調整して、補助室２に対する第２給気風量Ｑ２を、上記Ｂ１の基本制御の実行下における閉扉時第２給気風量ｙから低露点室１ａの側の第１給気風量Ｑ１の増加分ｚだけ減少させる（Ｑ２＝ｙ−ｚ）。
【０１４１】
即ち、この低露点室１ａに対する開扉時制御により、低露点室１ａの室間扉４が開かれた状態においても、低露点室１ａの側の第１給気風量Ｑ１の増加（ｘ⇒ｘ＋ｚ）により低露点室１ａの室内を所要の低露点環境に保持する。
【０１４２】
換言すれば、低露点室１ａの側の開扉信号ｏｓを受信したとき、低露点室１ａの側の第１給気風量Ｑ１を、室間扉４が開かれた状態において低露点室１ａの室内露点温度が室間扉４の閉扉時における低露点室１の室内露点温度ｔ１（設定第１露点温度）以下に保持される露点保持風量であるとともに、室間扉４が開かれた状態において低露点室１ａの室圧ｐ１が補助室２の室圧ｐ２より設定圧力差Δｐｂ（設定開扉時室圧差）以上に高く保持される室圧保持風量でもある風量（＝ｘ＋ｚ）まで増加させるようにしてある。
【０１４３】
そして、その後、低露点室１ａの側の管理器１７から発信される閉扉信号ｓｓを受信すると、Ｂ１の基本制御の実行状態に復帰する。
【０１４４】
Ｂ３：低露点室１ｂの側の管理器１７から発信される開扉信号ｏｓを受信すると、低露点室１ｂに対する開扉時制御として、低露点室１ｂの側の第１風量調整ダンパ１０を開くとともにその開度を調整して、低露点室１ｂの側の補助給気口７ｂから低露点室１ｂに供給する低露点空気ＳＡの風量である補助給気風量ｑｂ′を、予め設定してある設定補助給気風量ｚ′に調整する（ｑｂ′＝ｚ′）。
【０１４５】
これにより、低露点室１ｂの側の第１給気風量Ｑ１′（＝ｑａ′＋ｑｂ′）を、上記の閉扉時第１給気風量ｘ′から設定補助給気風量ｚ′だけ増加させる（Ｑ１′＝ｘ′＋ｚ′）
【０１４６】
。
また、第２風量調整ダンパ１１の開度を調整して、補助室２に対する第２給気風量Ｑ２を、Ｂ１の基本制御の実行下における閉扉時第２給気風量ｙから低露点室１ｂの側の第１給気風量Ｑ１′の増加分ｚ′だけ減少させる（Ｑ２＝ｙ−ｚ′）。
【０１４７】
即ち、この低露点室１ｂに対する開扉時制御により、低露点室１ｂの室間扉４が開かれた状態においても、低露点室１ｂの側の第１給気風量Ｑ１′の増加（ｘ′⇒ｘ′＋ｚ′）により低露点室１ｂの室内を所要の低露点環境に保持する。
【０１４８】
換言すれば、低露点室１ａの側と同様、低露点室１ｂの側についても、低露点室１ｂの側の開扉信号ｏｓを受信したとき、低露点室１ｂの側の第１給気風量Ｑ１′を、室間扉４が開かれた状態において低露点室１ｂの室内露点温度が室間扉４の閉扉時における低露点室１ｂの室内露点温度ｔ１（設定第１露点温度）以下に保持される露点保持風量であるとともに、室間扉４が開かれた状態において低露点室１ｂの室圧ｐ１′が補助室２の室圧ｐ２より設定圧力差Δｐｂ′（設定開扉時室圧差）以上に高く保持される室圧保持風量でもある風量（＝ｘ＋ｚ′）まで増加させるようにしてある。
【０１４９】
そして、その後、低露点室１ｂの側の管理器１７から発信される閉扉信号ｓｓを受信すると、Ｂ１の基本制御の実行状態に復帰する。
【０１５０】
Ｂ４：低露点室１ａの側の管理器１７から発信される開扉信号ｏｓを受信するとともに、低露点室１ｂの側の管理器１７から発信される開扉信号ｏｓを受信すると、Ｂ２の低露点室１ａに対する開扉時制御、及び、Ｂ３の低露点室１ｂに対する開扉時制御の両方を実行する制御形態を採る。
【０１５１】
具体的には、低露点室１ａの側の補助給気口７ｂから低露点室１ａに供給する低露点空気ＳＡの風量である補助給気風量ｑｂを設定補助給気風量ｚに調整して（ｑｂ＝ｚ）、低露点室１ａの側の第１給気風量Ｑ１を閉扉時第１給気風量ｘから設定補助給気風量ｚだけ増加させる（Ｑ１＝ｘ＋ｚ）。
【０１５２】
また、低露点室１ｂの側の補助給気口７ｂから低露点室１ｂに供給する低露点空気ＳＡの風量である補助給気風量ｑｂ′を設定補助給気風量ｚ′に調整して（ｑｂ′＝ｚ′）、低露点室１ｂの側の第１給気風量Ｑ１′を閉扉時第１給気風量ｘ′から設定補助給気風量ｚ′だけ増加させる（Ｑ１′＝ｘ′＋ｚ′）。
【０１５３】
そして、補助室２については、第２風量調整ダンパ１１の開度を調整して、補助室２に対する第２給気風量Ｑ２を、Ｂ１の基本制御の実行下における閉扉時第２給気風量ｙ  から低露点室１ａの側の第１給気風量Ｑ１の増加分ｚと低露点室１ｂの側の第１給気風量Ｑ１′の増加分ｚ′との合計分（ｚ＋ｚ′）だけ減少させる（Ｑ２＝ｙ−ｚ−ｚ′）。
【０１５４】
その後、低露点室１ａの側の管理器１７から発信される閉扉信号ｓｓのみを受信すると、Ｂ３の低露点室１ｂに対する開扉時制御の実行状態と同じ状態に移行し、また、低露点室１ｂの側の管理器１７から発信される閉扉信号ｓｓのみを受信すると、Ｂ２の低露点室１ｂに対する開扉時制御の実行状態と同じ状態に移行する。
【０１５５】
したがって、低露点室１ａの側の管理器１７から発信される閉扉信号ｓｓ及び低露点室１ｂの側の管理器１７から発信される閉扉信号ｓｓの両方を受信することで、Ｂ１の基本制御の実行状態に復帰する。
【０１５６】
つまり、この第２実施形態の低露点空調設備では、複数の低露点室１ａ，１ｂを共通の補助室２に対して各別に開放する複数の室間開口部３と、それら複数の室間開口部３を各別に開閉する複数の室間扉４とを設けた構成において、制御器１８の上記制御動作により、それら複数の室間扉１４の開扉時には、対応する複数の低露点室１ａ，１ｂの夫々に対する第１給気風量Ｑ１，Ｑ１′を、複数の室間扉１４の閉扉時における第１給気風量ｘ，ｘ′よりも増加（ｘ⇒ｘ＋ｚ、ｘ′⇒ｘ′＋ｚ′）させるとともに、それら複数の低露点室１ａ，１ｂの夫々に対する第１給気風量Ｑ１，Ｑ１′の増加分ｚ，ｚ′の合計分（ｚ＋ｚ′）だけ、補助室２に対する第２給気風量Ｑ２を複数の室間扉１４の閉扉時における第２給気風量ｙよりも（ｙ⇒ｙ−ｚ−ｚ′）減少させるようにしてある。
【０１５７】
即ち、この風量調整形態を採ることで、それら複数の室間扉４の開扉時において複数の低露点室１ａ，１ｂの夫々に対する第１給気風量Ｑ１，Ｑ１′の増加（ｘ⇒ｘ＋ｚ，ｘ′⇒ｘ′＋ｚ′）により除湿機５における処理空気の風量（Ｑ１＋Ｑ１′＋Ｑ２）が増加することを、それら複数の低露点室１ａ，１ｂ夫々の第１給気風量Ｑ１，Ｑ１′の増加分ｚ，ｚ′の合計分（ｚ＋ｚ′）と第２給気風量Ｑ２の減少分（ｚ＋ｚ′）との相殺により回避する。
【０１５８】
なお、この第２実施形態では、共通の補助室２に対して二室の低露点室１ａ，１ｂを配設した例を示したが、共通の補助室２に対して三室以上の複数の低露点室１を配設する構成において同様に各給気風量を調整するようにしてもよい。
【０１５９】
（第３実施形態）
図５に示す第３実施形態の低露点空調設備では、第１実施形態で示した低露点室１の補助給気口７ｂを省略し、定風量装置９により風量調整される主給気口７ａだけを、低露点室１に対して低露点空気ＳＡを供給する第１給気口７にしてある。
【０１６０】
一方、給気路６により導かれる低露点空気ＳＡを室間開口部３の配設域に対して供給する給気口として、補助室２の側における室間開口部３の対向箇所（開口前箇所ｍｓ）に対して低露点空気ＳＡを供給する第３給気口１９を設けてある。
【０１６１】
また、給気路６のうち第３給気口１９に接続する端末部分６ｄには、第３給気口１９から上記開口前箇所ｍｓに対して供給する低露点空気ＳＡの風量である第３給気風量Ｑ３を調整する第３風量調整ダンパ２０を介装してある。
【０１６２】
なお、２１は、開口前箇所ｍｓを囲う遮風具であり、この遮風具２１を設けることで、開口前箇所ｍｓにおける水分負荷を第３給気口１９から供給する低露点空気ＳＡにより集中的に効率良く処理する。
【０１６３】
また、図５において第１実施形態と同じ符号を付したものは第１実施形態で示したものと同じものである。
【０１６４】
この第３実施形態の低露点空調設備において、制御器１８は次のＣ１〜Ｃ３の制御を実行するものにしてある（参照：図６の表）。
【０１６５】
Ｃ１：基本制御として、室間扉４の閉扉時には、第３風量調整ダンパ２０を全閉に保持して、第３給気口１９からの低露点空気ＳＡの供給を遮断する（Ｑ３＝０）。
【０１６６】
換言すれば、第３給気口１９から開口前箇所ｍｓに供給する低露点空気ＳＡの風量である第３給気風量Ｑ３を閉扉時第３給気風量としてのゼロ風量にする。
【０１６７】
また、第２風量調整ダンパ１１の開度を調整して、第２給気口８から補助室２に供給する低露点空気ＳＡの風量である第２給気風量Ｑ２を、補助室２の室内が所要の低露点環境に保持される閉扉時第２給気風量ｙに調整する（Ｑ２＝ｙ）。
【０１６８】
即ち、この基本制御により、低露点室１の室内を第１給気口７（７ａ）から供給する設定主給気風量ｘ（＝第１給気風量Ｑ１）の低露点空気ＳＡをもって所要の低露点環境に保持するとともに、補助室２を室内を準低露点室として所要の低露点環境に保持する。
【０１６９】
Ｃ２：管理器１７からの開扉信号ｏｓを受信すると、開扉時制御として、第３風量調整ダンパ２０を開くとともにその開度を調整して、第３給気風量Ｑ３を閉扉時第３給気風量としてのゼロ風量から予め設定してある開扉時第３給気風量ｚｚに増加（０⇒ｚｚ）させる。
【０１７０】
また、第２風量調整ダンパ１１の開度を調整して、補助室２に対する第２給気風量Ｑ２を、Ｃ１の基本制御の実行下における閉扉時第２給気風量ｙから開口前箇所ｍｓに対する第３給気風量Ｓ１の増加分ｚｚだけ減少させる（Ｑ２＝ｙ−ｚｚ）。
【０１７１】
即ち、この開扉時制御により、開扉スイッチ１７ａの操作に続き室間扉４が開かれた状態においても、開口前箇所ｍｓに対する第３給気風量Ｑ３の増加（０⇒ｚｚ）により低露点室１の室内を所要の低露点環境に低露点環境に保持する。
【０１７２】
なお、第３給気風量Ｑ３の増加分である閉扉時第３給気風量ｚｚとしては、室間扉４が開かれた室間開口部３を通じて低露点室１の室内をメンテナンスするメンテナンス要員の呼気や発汗などによる開口前箇所ｍｓでの発生水分負荷を効率的に処理して、その発生水分が室間開口部３を通じて低露点室１に侵入することを阻止し得る風量に設定してある。
【０１７３】
換言すれば、開扉信号ｏｓを受信したとき、開口前箇所ｍｓに対する第３給気風量Ｑ３を、室間扉４が開かれた状態において低露点室１の室内露点温度が室間扉４の閉扉時における低露点室１の室内露点温度ｔ１（設定第１露点温度）以下に保持される露点保持風量（＝ｚｚ）まで増加させるようにしてある。
【０１７４】
Ｃ３：その後、管理器１７からの閉扉信号ｓｓを受信すると、復帰制御として、第３風量調整ダンパ２０を全閉にして第３給気口１９からの低露点空気ＳＡの供給を遮断する（Ｑ３＝０）。
【０１７５】
即ち、第３給気風量Ｑ３を開扉時第３給気風量ｚｚからゼロ風量に減少（ｚｚ⇒０）させる。
【０１７６】
また、第２風量調整ダンパ１１の開度を調整して、補助室２に対する第２給気風量Ｑ２を、開扉時の第２給気風量（ｙ―ｚｚ）から第３給気風量Ｑ３の減少分ｚｚだけ増加させて閉扉時第２給気風量ｙに復帰させる（Ｑ２＝ｙ）。
【０１７７】
即ち、この復帰制御によりＣ１の基本制御の実行状態に復帰する。
【０１７８】
以上、この第３実施形態の低露点空調設備では、制御器１８の上記制御動作により、室間扉４の開扉時には、第１給気口７（７ａ）から低露点室１に供給する低露点空気ＳＡの風量である第１給気風量Ｑ１を室間扉４の閉扉時における第１給気風量ｘ（定風量装置９の設定風量）に保った状態で、第３給気口１９から室間開口部３の配設域ｍｓに供給する低露点空気ＳＡの風量である第３給気風量Ｑ３を、室間扉４の閉扉時における第３給気風量（ゼロ風量）よりも増加（０⇒ｚｚ）させるとともに、この第３給気風量Ｑ３の増加に背反させて、第２給気口８から補助室２に供給する低露点空気ＳＡの風量である第２給気風量Ｑ２を、第３給気風量Ｑ３の増加分ｚｚだけ、室間扉４の閉扉時における第２給気風量ｙよりも減少（ｙ⇒ｙ−ｚｚ）させるようにしてある。
【０１７９】
即ち、この風量調整形態を採ることで、室間扉４の開扉時において第３給気風量Ｑ３の増加（０⇒ｚｚ）により除湿機５における処理空気の風量（Ｑ１＋Ｑ２＋Ｑ３）が増加することを、第３給気風量Ｑ３の増加分ｚｚと第２給気風量Ｑ２の減少分ｚｚとの相殺により回避する。
【０１８０】
なお、この第３実施形態では、第３給気口１９を補助室２の側における室間開口部３の対向箇所ｍｓに対して低露点空気ＳＡを供給する状態に配置する例を示したが、これに代え、室間開口部３の配設域に対して低露点空気ＳＡを供給する第３給気口１９は、低露点室１の側における室間開口部３の対向箇所（低露点室１の側の開口前箇所）に低露点空気ＳＡを供給する状態に配置したり、あるいは、補助室２の側の開口前箇所と低露点室１の側の開口前箇所との夫々に低露点空気ＳＡを供給する状態に配置したり、あるいはまた、室間開口部３の開口部内に低露点空気ＳＡを供給する状態に配置するなどしてもよい。
【０１８１】
開口前箇所ｍｓに対する遮風具２１は省略してもよい。
【０１８２】
室間扉４の閉扉時における第３給気風量Ｑ３（閉扉時第３給気風量）はゼロ風量に限られるものではなく、室間扉４の閉扉時においても適当風量の低露点空気ＳＡを第３給気口１９から室間開口部３の配設域に供給するようにしてもよい。
【０１８３】
また、この第３実施形態では、室間扉４の開扉時に低露点室１に対する第１給気風量Ｑ１を室間扉４の閉扉時における第１給気風量Ｑ１に保った状態で、室間開口部３の配設域に対する第３給気風量Ｑ３を増加させるようにしたが、これに代え、室間扉４の開扉時に第１給気風量Ｑ１及び第３給気風量Ｑ３の両方を室間扉４の閉扉時における風量よりも増加させるようにしてもよい。
【０１８４】
即ち、室間扉４の開扉時には、低露点室１に対する第１給気風量Ｑ１及び／又は室間開口部３の配設域に対する第３給気風量Ｑ３を、室間扉４が開かれた状態において低露点室１の室内露点温度が室間扉４の閉扉時における低露点室１の室内露点温度ｔ１（設定第１露点温度）以下に保持される露点保持風量まで増加させるとともに、低露点室１に対する第１給気風量Ｑ１を、室間扉４が開かれた状態において低露点室１ａの室圧ｐ１が補助室２の室圧ｐ２より設定圧力差Δｐｂ（設定開扉時室圧差）以上に高く保持される室圧保持風量まで増加させるようにしてもよい。
【０１８５】
この場合、図７の表に示す如く、室間扉４の開扉時には、第１給気風量Ｑ１の増加分ｚと第３給気風量Ｑ３の増加分ｚｚとの合算分（ｚ＋ｚｚ）だけ、補助室２に対する第２給気風量Ｑ２を閉扉時の第２給気風量ｙよりも減少（ｙ⇒ｙ−ｚ−ｚｚ）させるようにする。
【０１８６】
（第４実施形態）
図８に示す第４実施形態の低露点空調設備では、共通の補助室２に対して、ともに第３実施形態で示した低露点室１と同様の二室の低露点室１ａ，１ｂを配設してある。
【０１８７】
また、各低露点室１ａ，１ｂの第１給気口７、補助室２の第２給気口８並びに各開口前箇所ｍｓの第３給気口１９には、共通の除湿機５により生成される低露点空気ＳＡを給気路６を通じて供給するようにしてある。
【０１８８】
なお、図８において第３実施形態と同じ符号を付したものは第３実施形態で示したのと同じものである。
【０１８９】
この第４実施形態の低露点空調設備において、制御器１８は次のＤ１〜Ｄ４の制御を実行するものにしてある（参照：図９の表）。
【０１９０】
Ｄ１：基本制御として、両低露点室１ａ，１ｂの室間扉４がともに閉じられている状態では、低露点室１ａの側の第３風量調整ダンパ２０を全閉に保持して、低露点室１ａの側の第３給気口１９からの低露点空気ＳＡの供給を遮断する（Ｑ３＝０）。
【０１９１】
同様に、低露点室１ｂの側の第３風量調整ダンパ２０を全閉に保持して、低露点室１ｂの側の第３給気口１９からの低露点空気ＳＡの供給を遮断する（Ｑ３′＝０）。
【０１９２】
換言すれば、各第３給気口１９から各開口前箇所ｍｓに供給する低露点空気ＳＡの風量である各第３給気風量Ｑ３，Ｑ３′を閉扉時第３給気風量としてのゼロ風量にする。
【０１９３】
また、第２風量調整ダンパ１１の開度を調整して、補助室２に対する第２給気風量Ｑ２を、補助室２の室内が所要の低露点環境に保持される閉扉時第２給気風量ｙに調整する（Ｑ２＝ｙ）。
【０１９４】
即ち、この基本制御により、各低露点室１ａ，１ｂの室内を各第１給気口７（７ａ）から供給する各設定主給気風量ｘ，ｘ′（＝第１給気風量Ｑ１，Ｑ１′）の低露点空気ＳＡをもって所要の低露点環境に保持するとともに、補助室２の室内を準低露点室として所要の低露点環境に保持する。
【０１９５】
Ｄ２：低露点室１ａの側の管理器１７からの開扉信号ｏｓを受信すると、低露点室１ａに対する開扉時制御として、低露点室１ａの側の第３風量調整ダンパ２０を開くとともにその開度を調整して、低露点室１ａの側の第３給気風量Ｑ３を閉扉時第３給気風量としてのゼロ風量から、予め設定してある低露点室１ａの側の開扉時第３給気風量ｚｚに増加させる（Ｑ３＝ｚｚ）。
【０１９６】
。
また、第２風量調整ダンパ１１の開度を調整して、補助室２に対する第２給気風量Ｑ２を、Ｄ１の基本制御の実行下における閉扉時第２給気風量ｙから低露点室１ａの側の第３給気風量Ｑ３の増加分ｚｚだけ減少させる（Ｑ２＝ｙ−ｚｚ）。
【０１９７】
即ち、この低露点室１ａに対する開扉時制御により、低露点室１ａの室間扉４が開かれた状態においても、低露点室１ａの側の第３給気風量Ｑ３の増加（０⇒ｚｚ）により低露点室１ａの室内を所要の低露点環境に保持する。
【０１９８】
換言すれば、低露点室１ａの側の開扉信号ｏｓを受信したとき、低露点室１ａの側の開口前箇所ｍｓに対する第３給気風量Ｑ３を、室間扉４が開かれた状態において低露点室１ａの室内露点温度が室間扉４の閉扉時における低露点室１の室内露点温度ｔ１（設定第１露点温度）以下に保持される露点保持風量まで増加させるようにしてある。
【０１９９】
そして、その後、低露点室１ａの側の管理器１７からの閉扉信号ｓｓを受信すると、Ｄ１の基本制御の実行状態に復帰する。
【０２００】
Ｄ３：低露点室１ｂの側の管理器１７からの開扉信号ｏｓを受信すると、低露点室１ｂに対する開扉時制御として、低露点室１ｂの側の第３風量調整ダンパ２０を開くとともにその開度を調整して、低露点室１ｂの側の第３給気風量Ｑ３′を閉扉時第３給気風量としてのゼロ風量から、予め設定してある低露点室１ｂの側の開扉時第３給気風量ｚｚ′に増加させる（Ｑ３′＝ｚｚ′）。
【０２０１】
。
また、第２風量調整ダンパ１１の開度を調整して、補助室２に対する第２給気風量Ｑ２を、Ｄ１の基本制御の実行下における閉扉時第２給気風量ｙから低露点室１ｂの側の第３給気風量Ｑ３′の増加分ｚｚ′だけ減少させる（Ｑ２＝ｙ−ｚｚ′）。
【０２０２】
即ち、この低露点室１ｂに対する開扉時制御により、低露点室１ｂの室間扉４が開かれた状態においても、低露点室１ｂの側の第３給気風量Ｑ３′の増加（０⇒ｚｚ′）により低露点室１ｂの室内を所要の低露点環境に保持する。
【０２０３】
換言すれば、低露点室１ｂの側の開扉信号ｏｓを受信したとき、低露点室１ｂの側の開口前箇所ｍｓに対する第３給気風量Ｑ３′を、室間扉４が開かれた状態において低露点室１ｂの室内露点温度が室間扉４の閉扉時における低露点室１ｂの室内露点温度ｔ１′（設定第１露点温度）以下に保持される露点保持風量まで増加させるようにしてある。
【０２０４】
そして、その後、低露点室１ｂの側の管理器１７からの閉扉信号ｓｓを受信すると、Ｄ１の基本制御の実行状態に復帰する。
【０２０５】
Ｄ４：低露点室１ａの側の管理器１７からの開扉信号ｏｓを受信するとともに、低露点室１ｂの側の管理器１７からの開扉信号ｏｓを受信すると、Ｄ２の低露点室１ａに対する開扉時制御、及び、Ｄ３の低露点室１ｂに対する開扉時制御の両方を実行する制御形態を採る。
【０２０６】
具体的には、低露点室１ａの側の第３風量調整ダンパ２０を開くとともにその開度を調整して、低露点室１ａの側の第３給気風量Ｑ３を閉扉時第３給気風量としてのゼロ風量から、予め設定してある低露点室１ａの側の開扉時第３給気風量ｚｚに増加させる（Ｑ３＝ｚｚ）。
【０２０７】
また、低露点室１ｂの側の第３風量調整ダンパ２０を開くとともにその開度を調整して、低露点室１ｂの側の第３給気風量Ｑ３′を閉扉時第３給気風量としてのゼロ風量から、予め設定してある低露点室１ｂの側の開扉時第３給気風量ｚｚ′に増加させる（Ｑ３′＝ｚｚ′）。
【０２０８】
また、補助室２については、第２風量調整ダンパ１１の開度を調整して、補助室２に対する第２給気風量Ｑ２を、Ｄ１の基本制御の実行下における閉扉時第２給気風量ｙから、低露点室１ａの側の第３給気風量Ｑ３の増加分ｚｚと低露点室１ｂの側の第３給気風量Ｑ３′の増加分ｚｚ′との合計分（ｚｚ＋ｚｚ′）だけ減少させる（Ｑ２＝ｙ−ｚｚ−ｚｚ′）。
【０２０９】
その後、低露点室１ａの側の管理器１７からの閉扉信号ｓｓのみを受信すると、Ｄ３の低露点室１ｂに対する開扉時制御の実行状態と同じ状態に移行し、また、低露点室１ｂの側の管理器１７からの閉扉信号ｓｓのみを受信すると、Ｄ２の低露点室１ｂに対する開扉時制御の実行状態と同じ状態に移行する。
【０２１０】
したがって、低露点室１ａの側の管理器１７からの閉扉信号ｓｓ及び低露点室１ｂの側の管理器１７からの閉扉信号ｓｓの両方を受信することで、Ｄ１の基本制御の実行状態に復帰する。
【０２１１】
つまり、この第４実施形態の低露点空調設備では、複数の低露点室１ａ，１ｂを共通の補助室２に対して各別に開放する複数の室間開口部３と、それら複数の室間開口部３を各別に開閉する複数の室間扉４とを設けた構成において、制御器１８の上記制御動作により、それら複数の室間扉４の開扉時には、対応する複数の低露点室１ａ，１ｂ夫々の第１給気風量Ｑ１，Ｑ１′を複数の室間扉４の閉扉時における第１給気風量ｘ，ｘ′（定風量装置９の設定風量）に保った状態で、対応する複数の室間開口部３夫々の配設域ｍｓに対する第３給気風量Ｑ３，Ｑ３′を、複数の室間扉４の閉扉時における第３給気風量（ゼロ風量）よりも増加（０⇒ｚｚ，０⇒ｚｚ′）させるとともに、それら複数の室間開口部３夫々の配設域ｍｓに対する第３給気風量Ｑ３，Ｑ３′の増加分ｚｚ，ｚｚ′の合計分（ｚｚ＋ｚｚ′）だけ、補助室２に対する第２給気風量Ｑ２を複数の室間扉４の閉扉時における第２給気風量ｙよりも減少（ｙ⇒ｙ−ｚｚ−ｚｚ′）させるようにしてある。
【０２１２】
即ち、この風量調整形態を採ることで、複数の室間扉４の開扉時において、対応する複数の室間開口部３夫々の配設域ｍｓに対する第３給気風量Ｑ３，Ｑ３′の増加（０⇒ｚｚ，０⇒ｚｚ′）により除湿機５における処理空気の風量（Ｑ１＋Ｑ１′＋Ｑ２＋Ｑ３＋Ｑ３′）が増加することを、それら第３給気風量Ｑ３，Ｑ３′の増加分ｚｚ，ｚｚ′の合計分（ｚｚ＋ｚｚ′）と第２給気風量Ｑ２の減少分（ｚｚ＋ｚｚ′）との相殺により回避する。
【０２１３】
なお、この第４実施形態では、共通の補助室２に対して二室の低露点室１ａ，１ｂを配設した例を示したが、共通の補助室２に対して三室以上の複数の低露点室１を配設する構成において同様に各給気風量を調整するようにしてもよい。
【０２１４】
また、この第４実施形態では、第３給気口１９を補助室２の側における室間開口部３の対向箇所ｍｓに対して低露点空気ＳＡを供給する状態に配置する例を示したが、これに代え、室間開口部３の配設域に対して低露点空気ＳＡを供給する第３給気口１９は、低露点室１ａ，１ｂの側における室間開口部３の対向箇所（低露点室１ａ，１ｂの側の開口前箇所）に低露点空気ＳＡを供給する状態に配置したり、あるいは、補助室２の側の開口前箇所と低露点室１ａ，１ｂの側の開口前箇所との夫々に低露点空気ＳＡを供給する状態に配置したり、あるいはまた、室間開口部３の開口部内に低露点空気ＳＡを供給する状態に配置するなどしてもよい。
【０２１５】
開口前箇所ｍｓに対する遮風具２１は省略してもよい。
【０２１６】
室間扉４の閉扉時における第３給気風量Ｑ３，Ｑ３′（閉扉時第３給気風量）はゼロ風量に限られるものではなく、室間扉４の閉扉時においても適当風量の低露点空気ＳＡを第３給気口１９から室間開口部３の配設域に供給するようにしてもよい。
【０２１７】
また、この第４実施形態では、複数の室間扉４の開扉時に、対応する複数の低露点室１ａ，１ｂに対する第１給気風量Ｑ１，Ｑ１′を複数の室間扉４の閉扉時における第１給気風量に保った状態で、対応する複数の室間開口部３夫々の配設域に対する第３給気風量Ｑ３，Ｑ３′を増加させるようにしたが、これに代え、複数の室間扉４の開扉時に、対応する複数の低露点室１ａ，１ｂの夫々に対する第１給気風量Ｑ１，Ｑ１′、及び、対応する複数の室間開口部３夫々の配設域に対する第３給気風量Ｑ３，Ｑ３′の両方を複数の室間扉４の閉扉時における風量より増加させるようにしてもよい。
【０２１８】
この場合、図１０の表に示す如く、複数の室間扉４の開扉時には、各第１給気風量Ｑ１，Ｑ１′の増加分ｚ，ｚ′の合計分（ｚ＋ｚ′）と各第３給気風量Ｑ３，Ｑ３′の増加分ｚｚ，ｚｚ′の合計分（ｚｚ＋ｚｚ′）との合算分（ｚ＋ｚ′＋ｚｚ＋ｚｚ′）だけ、補助室２に対する第２給気風量Ｑ２を閉扉時の第２給気風量ｙよりも減少（ｙ⇒ｙ−ｚ−ｚ′−ｚｚ−ｚｚ′）させるようにする。
【０２１９】
（他の実施形態）
次に本発明の他の実施形態を列記する。
【０２２０】
低露点室１，１ａ，１ｂに対する第１給気口７、補助室２に対する第２給気口８，室間開口部３の配設域に対する第３給気口１９は、夫々、単数の給気口だけで構成してもよく、また、複数の給気口で構成してもよい。
【０２２１】
前述の各実施形態では、室間通気路１２とは別に室圧保持ダンパ１３を設ける例を示したが、室間通気路１２に室圧保持ダンパ１３を装備する形態を採ってもよい。
【０２２２】
また、前述の各実施形態では、管理器１７の開扉スイッチ１７ａや閉扉スイッチ１７ｂに対する人為操作をもって開扉信号ｏｓや閉扉信号ｓｓを発信させるようにしたが、これい代え、室間扉４の動作検出や室間扉４に対する開閉操作の検出などに基づいて開扉信号や閉扉信号ｓｓを自動的に発信させるようにしてもよい。
【０２２３】
室間開口部３は、物品搬出入用の開口、低露点室１，１ａ，１ｂに対するメンテナンス用の開口、あるいは、それらを兼ねる開口など、室間扉４の開閉を要する開口であれば、どのような開口であってもよい。
【０２２４】
低露点室１，１ａ，１ｂは、生産用室や保管用室あるいは試験用室など、室内を低露点環境に保持する必要が室空間であれば、どのような用途の室空間であってもよい。
【産業上の利用可能性】
【０２２５】
本発明による低露点空調設備の運転方法、及び、低露点空調設備は、低露点環境の形成が必要な分野であれば、各種の分野において種々の用途に利用することができる。
【符号の説明】
【０２２６】
１，１ａ，１ｂ          低露点室
２                      補助室
３                      室間開口部
４                      室間扉
５                      除湿機
ＳＡ                    低露点空気
７                      第１給気口
８                      第２給気口
６                      給気路
ＳＡ′                  室内低露点空気
１２                    室間通気路
ＲＡ，ＥＡ              室内空気
１５                    排気路
１４                    還気路
Ｑ１，Ｑ１′            第１給気風量
ｘ，ｘ′                室間扉の閉扉時における第１給気風量
ｚ，ｚ′                第１給気風量の増加分
Ｑ２                    第２給気風量
ｙ                      室間扉の閉扉時における第２給気風量
ｍｓ                    室間開口部の配設域，室間開口部の対向箇所
１９                    第３給気口
Ｑ３，Ｑ３′            第３給気風量
ｚｚ，ｚｚ′            第３給気風量の増加分
１０                    第１風量調整ダンパ
１１                    第２風量調整ダンパ
１８                    制御手段
ｏｓ                    開扉信号
２０                    第３風量調整ダンパ
１３                    差圧保持ダンパ
【図１】
2014047990.tif 000003
【図２】
2014047990.tif 000004
【図３】
2014047990.tif 000005
【図４】
2014047990.tif 000006
【図５】
2014047990.tif 000007
【図６】
2014047990.tif 000008
【図７】
2014047990.tif 000009
【図８】
2014047990.tif 000010
【図９】
2014047990.tif 000011
【図１０】
2014047990.tif 000012